(57)【特許請求の範囲】
【請求項１】
第１の乾燥度を有する木材で構成された遊技盤と、
遊技球の落下の方向を変化させることが可能な複数の遊技釘と、
遊技球が入球可能な複数の入球口と、
を備えた遊技台において、
前記第１の乾燥度よりも高い所定の第２の乾燥度を有する木材によって構成されていることで、前記遊技盤周辺の湿度の変化に応じて変形する変形体と、
前記遊技盤周辺の湿度の変化に応じて変形しない支持体と、
ゴムによって構成された弾性体と、
を備え、
前記複数の遊技釘のうちの第一の遊技釘には、遊技球と衝突した場合に当該遊技球の落下の方向を変化させることが可能な衝突部が設けられ、
前記第一の遊技釘には、前記衝突部を前記支持体の所定の位置に固定するための固定部が設けられ、
前記衝突部および前記固定部のうちの少なくとも一方は、前記遊技盤周辺の湿度の変化に応じて変形するものであり、
前記複数の遊技釘のうちの第二の遊技釘は、前記第一の遊技釘と隣り合うように前記遊技盤に配置されたものであり、
前記複数の入球口のうちの所定の入球口は、前記第一の遊技釘および前記第二の遊技釘の間を通過した遊技球が入球可能なものであり、
前記遊技盤には、空洞部が設けられ、
前記空洞部内の左右方向における前記所定の入球口から遠い側の空間に前記変形体が配置され、
前記空洞部内の左右方向における前記所定の入球口に近い側の空間に前記弾性体が配置され、
前記空洞部内の左右方向における前記変形体と前記弾性体の間の空間に前記支持体が配置され、
前記変形体、前記支持体および前記弾性体は、前記空洞内の空間を埋めるように詰め込まれているものであり、
遊技盤の周囲の湿度が高まることで前記変形体が吸湿して膨張し、前記第一の遊技釘が固定された前記支持体を前記弾性体側に移動させることで、当該第一の遊技釘と前記第二の遊技釘の間隔が開き、当該入球口への入球率が向上する
ことを特徴とする遊技台。
【発明の詳細な説明】
【技術分野】
【０００１】
本発明は、遊技球の落下の方向を変化させる障害物を遊技盤に備えた遊技台に関するものである。
【背景技術】
【０００２】
パチンコ機などの遊技台では、遊技盤の遊技領域に遊技球の落下の方向に変化を与える障害物や、遊技球が入賞可能な入賞口、始動口、可変入賞口などを設けるのが一般的である。これらに遊技球が入賞すると賞球を払い出すなど遊技者に特典が与えられるようになっている。
【０００３】
またこういった遊技台には複数個の図柄を変動表示可能な図柄表示部を備え、始動口に遊技球が入賞すると、図柄表示部の図柄を所定時間変動して、変動後の図柄が予め定めた特定図柄の組み合わせである特定態様になった場合に、可変入賞口を所定時間開放させる等、遊技者に有利な遊技状態を発生させるようにしている。
【０００４】
そして、この遊技者に有利な遊技状態の発生の有無を制御することにより、遊技者が上述の特典を得る機会を増減させることで遊技台の興趣性を向上させるようにしている。
【０００５】
さらに興趣性を向上させるために、盤面に沿って落下する遊技球に衝突し、遊技球の移動方向を変化させる複数の釘を、盤面から突出させると共に所定方向に揺動可能に支持し、例えばソレノイド等により駆動されるカム機構によって各釘を揺動させ、各釘が盤面となす角度を適宜に設定可能な遊技台が知られている（例えば、下記の特許文献１）。
【０００６】
【特許文献１】特開平０７−５９９１４号公報
【発明の開示】
【発明が解決しようとする課題】
【０００７】
しかしながら、上記特許文献１に記載されるような従来の遊技台は、遊技者に有利な遊技状態の発生の有無の制御に加えて、ソレノイド等の駆動制御を更におこなうようにしているが、プログラム、データ、回路構成など、機器の制御に必要な構成が著しく複雑になり、さらに制御負荷が増大することで、誤動作などの不具合の原因につながる虞れがある。
本発明は、このような問題点に鑑みてなされたものであって、制御負荷を増大させることなく、遊技球の落下の方向に変化を与えることで遊技の興趣を向上させることができる遊技台を提供することを課題とする。
【課題を解決するための手段】
【０００８】
以上の課題を解決するため、本発明においては、第１の乾燥度を有する木材で構成された遊技盤と、遊技球の落下の方向を変化させることが可能な複数の遊技釘と、遊技球が入球可能な複数の入球口と、を備えた遊技台において、前記第１の乾燥度よりも高い所定の第２の乾燥度を有する木材によって構成されていることで、前記遊技盤周辺の湿度の変化に応じて変形する変形体と、前記遊技盤周辺の湿度の変化に応じて変形しない支持体と、ゴムによって構成された弾性体と、を備え、前記複数の遊技釘のうちの第一の遊技釘には、遊技球と衝突した場合に当該遊技球の落下の方向を変化させることが可能な衝突部が設けられ、前記第一の遊技釘には、前記衝突部を前記支持体の所定の位置に固定するための固定部が設けられ、前記衝突部および前記固定部のうちの少なくとも一方は、前記遊技盤周辺の湿度の変化に応じて変形するものであり、前記複数の遊技釘のうちの第二の遊技釘は、前記第一の遊技釘と隣り合うように前記遊技盤に配置されたものであり、前記複数の入球口のうちの所定の入球口は、前記第一の遊技釘および前記第二の遊技釘の間を通過した遊技球が入球可能なものであり、前記遊技盤には、空洞部が設けられ、前記空洞部内の左右方向における前記所定の入球口から遠い側の空間に前記変形体が配置され、前記空洞部内の左右方向における前記所定の入球口に近い側の空間に前記弾性体が配置され、前記空洞部内の左右方向における前記変形体と前記弾性体の間の空間に前記支持体が配置され、前記変形体、前記支持体および前記弾性体は、前記空洞内の空間を埋めるように詰め込まれているものであり、遊技盤の周囲の湿度が高まることで前記変形体が吸湿して膨張し、前記第一の遊技釘が固定された前記支持体を前記弾性体側に移動させることで、当該第一の遊技釘と前記第二の遊技釘の間隔が開き、当該入球口への入球率が向上することを特徴とする。
【発明の効果】
【０００９】
本発明によれば、制御負荷を増大させることなく、遊技の興趣を向上させることができる。
【発明を実施するための最良の形態】
【００１０】
以下、図面を用いて、本発明を実施するための最良の形態の一例として、パチンコ機（遊技台）について詳細に説明する。
【実施例１】
【００１１】
本発明の遊技盤面の特有な構造を適用可能な図１および図２を参照して、パチンコ機の一般的な構造につき概略を説明する。図１および図２の構造は、図３以降に示した後述の各実施例における構造についても共通に用いることができる。
【００１２】
＜全体構成＞
まず、図１を用いて、本発明の実施例１に係るパチンコ機１００の全体構成について説明する。なお、同図はパチンコ機１００を正面側（遊技者側）から見た外観斜視図である。
【００１３】
パチンコ機１００は、ガラス製または樹脂製の透明板部材１５２および透明部材保持枠１５４からなる扉部材１５６の奥側にガラスを通して視認可能に配設した後述する遊技盤(盤面)２００を備えている。
【００１４】
扉部材１５６の下方には、後述する不図示の発射モータによって回動する発射杆１３８と、この発射杆１３８の先端部に取り付けて球を後述する遊技領域１０４に向けて打ち出す発射槌１４０と、この発射槌１４０によって打ち出す球を後述する外レール１０６に導くための発射レール１４２と、球を一時的に貯留すると共に、貯留している球を順次、発射レール１４２に供給するための貯留皿１４４と、遊技者による押下操作が可能であり、所定の時期にその操作を検出した場合に後述する装飾図柄表示装置１１０等による演出表示を変化させるためのチャンスボタン１４６を配設している。
【００１５】
また、発射杆１３８および発射槌１４０の下方には、発射杆１３８を制御して遊技領域１０４に向けて球の発射強度の操作を行うための操作ハンドル１４８を配設していると共に、貯留皿１４４の下方には、貯留皿１４４に貯留できない溢れ球を貯留するための下皿１５０を設けている。
【００１６】
図２は、遊技盤２００を正面から見た略示正面図である。遊技盤２００には、外レール１０６と内レール１０８とを配設し、遊技球（以下、単に「球」と称する場合がある）が転動可能な遊技領域１０４を区画形成している。
【００１７】
遊技領域１０４の略中央には、演出装置２０２を配設している。この演出装置２０２には、略中央に横長の装飾図柄表示装置１１０を配設し、その周囲に、普通図柄表示装置１１２と、特別図柄表示装置１１４と、普通図柄保留ランプ１１６と、特別図柄保留ランプ１１８と、高確中ランプ１２０を配設している。なお、以下、普通図柄を「普図」、特別図柄を「特図」と称する場合がある。
【００１８】
演出装置２０２は、可動部を動作して演出を行うものであり、詳細については後述する。
【００１９】
装飾図柄表示装置１１０は、装飾図柄ならびに演出に用いる様々な画像を表示するための表示装置であり、本実施例では液晶表示装置（Ｌｉｑｕｉｄ  Ｃｒｙｓｔａｌ  Ｄｉｓｐｌａｙ）によって構成する。この装飾図柄表示装置１１０は、左図柄表示領域１１０ａ、中図柄表示領域１１０ｂ、右図柄表示領域１１０ｃおよび演出表示領域１１０ｄの４つの表示領域に分割し、左図柄表示領域１１０ａ、中図柄表示領域１１０ｂおよび左図柄表示領域１１０ｃはそれぞれ異なった装飾図柄を表示し、演出表示領域１１０ｄは演出に用いる画像を表示する。さらに、各表示領域１１０ａ、１１０ｂ、１１０ｃ、１１０ｄの位置や大きさは、表示データを変更することにより装飾図柄表示装置１１０の表示画面内で自由に変更することが可能である。なお、装飾図柄表示装置１１０は、液晶表示装置に代えて、ドットマトリクス表示装置、７セグメント表示装置、ＥＬ（ＥｌｅｃｔｒｏＬｕｍｉｎｅｓｃｅｎｃｅ）表示装置、ドラム式表示装置、リーフ式表示装置等他の表示デバイスを採用してもよい。
【００２０】
普図表示装置１１２は、普図の表示を行うための表示装置であり、本実施例では７セグメントＬＥＤによって構成する。特図表示装置１１４は、特図の表示を行うための表示装置であり、本実施例では７セグメントＬＥＤによって構成する。
【００２１】
普図保留ランプ１１６は、保留している普図変動遊技の数を示すためのランプであり、本実施例では、普図変動遊技を２つまで保留することを可能としている。特図保留ランプ１１８は、保留している特図変動遊技の数を示すためのランプであり、本実施例では、特図変動遊技を４つまで保留することを可能としている。高確中ランプ１２０は、遊技状態が高確率状態であること、または高確率状態になることを示すためのランプであり、遊技状態を低確率状態から高確率状態にする場合に点灯し、高確率状態から低確率状態にする場合に消灯する。
【００２２】
また、この演出装置２０２の周囲には、一般入賞口１２２と、普図始動口１２４と、第１特図始動口１２６と、第２特図始動口１２８と、可変入賞口１３０を配設している。
【００２３】
一般入賞口１２２は、本実施例では遊技盤２００に複数配設しており、この一般入賞口１２２への入球を所定の球検出センサ（図示省略）が検出した場合（一般入賞口１２２に入賞した場合）、不図示の払出装置を駆動し、所定の個数（本実施例では１０個）の球を賞球として貯留皿１４４（図１）に排出する。貯留皿１４４に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００２４】
普図始動口１２４は、ゲートやスルーチャッカーと呼ばれる、遊技領域の所定の領域を球が通過したか否かを判定するための装置で構成しており、本実施例では遊技盤２００の左側に１つ配設している。普図始動口１２４を通過した球は一般入賞口１２２に入球した球と違って、遊技島側に排出することはない。球が普図始動口１２４を通過したことを所定の玉検出センサが検出した場合、パチンコ機１００は、普図表示装置１１２による普図変動遊技を開始する。
【００２５】
第１特図始動口１２６は、本実施例では遊技盤２００の中央に１つだけ配設している。この第１特図始動口１２６への入球を所定の球検出センサが検出した場合、払出装置を駆動し、所定の個数（本実施例では３個）の球を賞球として貯留皿１４４に排出するとともに、特図表示装置１１４による特図変動遊技を開始する。なお、第１特図始動口１２６に入球した球は、パチンコ機１００の裏側に誘導した後、遊技島側に排出する。
【００２６】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、払出装置を駆動し、所定の個数（本実施例では５個）の球を賞球として貯留皿１４４に排出するとともに、特図表示装置１１４による特図変動遊技を開始する。なお、第２特図始動口１２８に入球した球は、パチンコ機１００の裏側に誘導した後、遊技島側に排出する。
【００２７】
可変入賞口１３０は、大入賞口またはアタッカーと呼ばれ、本実施例では遊技盤２００の中央部下方に１つだけ配設している。この可変入賞口１３０は、開閉自在な扉部材を備え、扉部材の閉鎖中は球の入球が不可能であり、特図変動遊技に当選し、特図表示装置１１４が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、払出装置を駆動し、所定の個数（本実施例では１５球）の球を賞球として貯留皿１４４に排出する。なお、可変入賞口１３０に入球した球は、パチンコ機１００の裏側に誘導した後、遊技島側に排出する。
【００２８】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００２９】
このパチンコ機１００は、遊技者が貯留皿１４４に貯留している球を発射レール１４２の発射位置に供給し、遊技者の操作ハンドル１４８の操作量に応じた強度で発射モータを駆動し、発射杆１３８および発射槌１４０によって外レール１０６、内レール１０８を通過させて遊技領域１０４に打ち出す。そして、遊技領域１０４の上部に到達した球は、打球方向変換部材１３２や遊技釘１３４等によって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００３０】
次に、パチンコ機１００の演出装置２０２について説明する。
【００３１】
この演出装置２０２の前面側には、ワープ装置２３０およびステージを配設し、演出装置２０２の背面側には、装飾図柄表示装置１１０および遮蔽手段２５０を配設している。すなわち、演出装置２０２において、装飾図柄表示装置１１０および遮蔽手段２５０は、ワープ装置２３０およびステージの後方に位置することとなる。
【００３２】
ワープ装置２３０は、演出装置２０２の左上方に設けた入球口２３２に入った遊技球を演出装置２０２の前面下方の前面ステージ２３４に排出し、さらに、前面ステージ２３４に排出した遊技球が前面ステージ２３４の中央部後方に設けた第２の入球口２３６に入った場合は、遊技球を、第１特図始動口１２６の上方である演出装置２０２の下部中央に設けた排出口２３８から第１特図始動口１２６に向けて排出するものである。この排出口２３８から排出した遊技球は特図始動口１２６に入球しやすくなっている。
【００３３】
遮蔽手段２５０は、格子状の左扉２５０ａおよび右扉２５０ｂからなり、装飾図柄表示装置１１０および前面ステージ２３４の間に配設する。左扉２５０ａおよび右扉２５０ｂの上部には、図示しない２つのプーリに巻き回したベルトをそれぞれ固定している。すなわち、左扉２５０ａおよび右扉２５０ｂは、モータによりプーリを介して駆動するベルトの動作に伴って左右にそれぞれ移動する。遮蔽手段２５０は、左右扉２５０ａ、２５０ｂを閉じた状態ではそれぞれの内側端部が重なり、遊技者が装飾図柄表示装置１１０を視認し難いように遮蔽する。左右扉２５０ａ、２５０ｂを開いた状態ではそれぞれの内側端部が装飾図柄表示装置１１０の表示画面の外側端部と若干重なるが、遊技者は装飾図柄表示装置１１０の表示の全てを視認可能である。また、左右扉２５０ａ、２５０ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左右扉２５０ａ、２５０ｂは、格子の孔から後方の装飾図柄表示装置１１０の一部を視認可能にしてもよいし、格子の孔の障子部分を半透明のレンズ体で塞ぎ、後方の装飾図柄表示装置１１０による表示を漠然と遊技者に視認させるようにしてもよいし、格子の孔の障子部分を完全に塞ぎ（遮蔽し）、後方の装飾図柄表示装置１１０を全く視認不可にしてもよい。
【００３４】
＜遊技台自動調整機構＞
図３および図４は本実施例の遊技台自動調整機構の構成および動作を示したものである。
【００３５】
本実施例では、遊技球の落下の方向を環境の変化に基づいて変化させる障害物、として遊技球が衝突する部位（釘）を遊技盤２００に配置し、この部位を自動調節する。特に本実施例では、遊技盤に障害物を固定するための部位（釘の根元の木材などから構成した変形部）を環境条件（たとえば湿度）の変化に基づいて変形させることにより、自動調節を行う（後述の実施例２〜６、および実施例１５においても同様）。
【００３６】
また、本実施例における障害物としてのたとえば釘（遊技釘）は、遊技球の入賞に基づいて遊技者に所定の特典（たとえば賞球の払い出し）を与える特定の通過領域（たとえば入賞口）の方向に遊技球を落下させる所定の落下経路に含まれる（後述の実施例２〜６、および実施例１５においても同様）。
【００３７】
図３（ａ）（断面図）および図３（ｂ）（斜視図）は、一般入賞口１２２の上部に配置された釘３０２、３０２の自動調整機構の構成を示している。図３（ａ）、（ｂ）に示すように、遊技盤２００の一般入賞口１２２の上部には、２本の釘３０２、３０２（ヘソ釘、命釘などと呼ばれる）が配置されている。
【００３８】
本実施例では、左側の釘３０２は、木材などの材質から成る遊技盤２００に直接打ち込んであるが、右側の釘３０２は、遊技盤２００に設けた空洞部２００ａ内に配置した変形部３０１に打ち込んである。
【００３９】
なお、図３（ａ）において符号２００ｂで示したものは、遊技盤２００表面を覆うように配置されたセルである。セル２００ｂはたとえばプラスチック薄板などから構成され、表面や裏面などに印刷などの彩色を施すことにより、盤面の意匠を表現するためのものである。
【００４０】
空洞部２００ａは、本実施例の場合、遊技盤２００を貫通するように設けられており、その前面をセル２００ｂが覆っている。セル２００ｂには、後述するような右側の釘３０２の平行移動を妨げないように、たとえば図４（ａ）に示した右側の釘３０２の移動範囲に相当する長さの長孔などを設けておく（不図示）。
【００４１】
変形部３０１は、図中にハッチングで示した部分で、環境条件、たとえば湿度によって膨張する材質、膨張係数の大きな木材（や樹脂）、特に、遊技盤２００を構成する第１の乾燥度を有する木材よりも乾燥度が高い第２の乾燥度を有する木材などから構成する。変形部３０１は、吸湿によって図の右方に膨張、変位できるよう、空洞部２００ａとその左端部のみで結合（たとえば接着）してある。
【００４２】
このような構成によれば、たとえば晴天などの低湿度の環境において、図３（ａ）、（ｂ）のような位置に右側の釘３０２が位置していたとすると、雨天などの高湿度の環境においては、変形部３０１が吸湿によって図の右方に膨張、変位するため、図４（ａ）（断面図）、図４（ｂ）（斜視図）のような位置に右側の釘３０２が移動する（本実施例では、右側の釘３０２は左側の釘３０２とほぼ平行を保ったまま移動する）。これにより、右側の釘３０２が破線の位置から実線の位置へ移動することによって、左右の釘３０２、３０２の間隔が図３（ａ）、（ｂ）の場合より広くなる。
【００４３】
したがって、本実施例では、雨天のような高湿度であって、たとえば、ホールへの客の入りがよくない期間において、自動的に一般入賞口１２２の上部の釘３０２、３０２の間隔を大きくし、晴天のように低湿度であって、ホールへの客の入りが悪くない期間において、自動的に一般入賞口１２２の上部の釘３０２、３０２の間隔を小さくするよう自動調節を行うことができる。
【００４４】
すなわち、本実施例の遊技台の自動調整機構は、環境条件、たとえば湿度に応じて、入賞口上の釘の間隔を遊技者に有利に働くように広くするか、遊技者に不利に働くように狭くするかの調節を行うものである。
【００４５】
一般にいって、高湿度である雨天のような環境条件ではホール（遊技場）の集客数は伸びず、逆に低湿度である晴天のような環境条件ではホールの集客数はそれほど落ちない、という事実がある。
【００４６】
本実施例によれば、入賞口上の釘の間隔を高湿度である雨天のような環境では、遊技球が入賞しやすくなる、つまり遊技者に有利に働くように広くし、低湿度である晴天のような環境では、遊技球が入賞しにくくなる、つまり遊技者に不利に働くように（それほど有利とはならないように）狭くするよう自動調節することができる。
【００４７】
このようにして、ホール従業員や専門の調整業者（釘師）の手をわずらわせることなく、面倒な作業を必要とせずに、高湿度である雨天のような環境においては遊技者により有利に、低湿度である晴天のような環境においては遊技者にそれほど有利とはならないように、遊技台の状態を自動調節することができる。
【００４８】
なお、変形部３０１の吸湿に関する膨張特性を適宜選択することにより、遊技台（本実施例では釘）の自動調節の度合を決定できることはいうまでもない。たとえば、湿度のような環境条件に応じて釘が広く（狭く）なる調節範囲を遊技者が視認できる程度とするか否かは当業者（たとえば遊技台メーカー）が適宜選択すれば良い。
【００４９】
また、実際の集客率の変化は、遊技者が視認できる程度の自動調節を行う場合には、たとえば「あの店は釘が開いている」といった口コミを介して遊技者が視認できない範囲での自動調節を行う場合には、たとえば「あの店は出玉（入賞）率がいい」といった口コミを介して変化するものと考えられる。
【００５０】
また、集客率を直接制御できる効果が実際認められないにしても、本実施例には、集客率の良い晴天では、ホールのサービスとして入賞率（出玉率）をそれほど上げず、集客率の悪い雨天では、ホールのサービスとして入賞率（出玉率）を上げる、といった自動調節を行なえる、という利点がある。
【００５１】
なお、本実施例では一方の釘のみに自動調整機構を設ける構成を例示したが、図示のように２本１組で設けられる釘については、一方の釘のみならず、他方の釘にも同じ自動調整機構を設けるようにしてもよいのはいうまでもない。この場合、たとえば、２本の釘がそれぞれ反対の方向に変位するように変形部の配置位置を左右で逆にするなどの構成が考えられる（あるいは釘の上げ下げを自動調節する後述の実施例においては、変形部の配置位置は左右で同一とする場合もある）。
【００５２】
上記の作用効果および変形例については、後述の類似する実施例２〜６（あるいはさらに実施例７〜１５）などにおいても同様にあてはまるものであるが、後述の各実施例においては、煩雑になるのを避けるため、重要な、あるいは各実施例において特有な作用効果を除いては、これら共通の作用効果（ないしは変形例など）については再度の記述を省略するものとする。
【実施例２】
【００５３】
本実施例では、図５および図６を参照して実施例１と同様に一般入賞口１２２上部の釘３０２、３０２の間隔（ただし右側の釘３０２の開き角度により決まる間隔）を自動調節する構成を示す。図５および図６以外の構成は実施例１で説明した構成と同等であるものとする。
【００５４】
本実施例では、右側の釘３０２の開き具合を自動調節するために、図５（ａ）（断面図）および図５（ｂ）（斜視図）に示すように、右側の釘３０２は遊技盤２００背面に設けた空洞部内に配置した木片などの剛体から成る支持体（固定片）２００ｃに対して、該空洞部前面に相当する遊技盤２００表面側から打ち込んである。この空洞部前面に相当する遊技盤２００の貫通穴が、後述の右側の釘３０２の揺動支点となる。この揺動支点は、衝突部としての釘３０２を、前記遊技盤の所定の位置に固定するための固定片としての支持体２００ｃと連結する連結部として機能する（後述の実施例５、および６においても同様）。
【００５５】
さらに、図５（ａ）に示すように、支持体２００ｃの図中左側には、たとえばスポンジやゴムなどからなる弾性部材３０３を、また右側には変形部３０１を配置してある。
【００５６】
本実施例の弾性部材３０３は、変形部３０１の変形量を規制する規制部材として機能する（このような弾性部材は後述の実施例４、１５においても用いられている）。
【００５７】
変形部３０１は、実施例１と同様に吸湿により膨張する木材などの材質から構成する。弾性部材３０３は、空洞内に支持体２００ｃと変形部３０１を配置した後、空洞内に残る図の左側の空間を埋めるように詰め込む。
【００５８】
このような構成では、雨天などの高湿度の環境となり、変形部３０１が吸湿すると、図６（ａ）（断面図）および図６（ｂ）（斜視図）に示すように図の左方へ支持体２００ｃを押すように膨張、変形し、これにより押された弾性部材３０３が降伏し、支持体２００ｃは左方へ移動し、右側の釘３０２の先端を左方に移動させ、右側の釘３０２の遊技盤２００表面に露出した部分は図示のように右方に揺動して開く。
【００５９】
このようにして本実施例においても、雨天のような高湿度であって、たとえば、ホールへの客の入りがよくない期間において、自動的に一般入賞口１２２の上部の釘３０２、３０２の間隔を大きくし、また、晴天のように低湿度であって、ホールへの客の入りが悪くない期間においては、自動的に一般入賞口１２２の上部の釘３０２、３０２の間隔を小さくするよう自動調節を行うことができる。
【００６０】
本実施例において得られるその他の効果は、実施例１とほぼ同様であるが、このように揺動によって釘３０２、３０２の間隔を広げる場合には、遊技者が視覚的によって釘の開き具合を認識しやすくなることがある。
【００６１】
また、変形部３０１で右側の釘３０２を片持ちする実施例１と異なり、支持体２００ｃは左右を変形部３０１と弾性部材３０３で支えられる構造であり、振動など影響されにくく、所期の調整位置に安定して右側の釘３０２を保持できる、という利点がある。
【実施例３】
【００６２】
本実施例では、図７および図８を参照して実施例１と同様に一般入賞口１２２上部の釘３０２、３０２の間隔（右側の釘３０２の平行移動位置により決まる間隔）を自動調節する構成を示す。図７および図８以外の構成は実施例１で説明した構成と同等であるものとする。
【００６３】
本実施例の構造は、実施例２の構造をより簡略化したものである。すなわち、本実施例では、図７（ａ）（断面図）および図７（ｂ）（斜視図）に示すように、右側の釘３０２は遊技盤２００背面に設けた空洞部内の右側に配置したゴムなどからなる弾性部材２００ｄに打ち込んであり、弾性部材２００ｄの左側には変形部３０１を配置してある。
【００６４】
変形部３０１は、実施例１と同様に吸湿により膨張する材質から構成する。また、遊技盤２００の右側の釘３０２の移動範囲には、その範囲に相当する長さの長孔などを設けておく（不図示）。
【００６５】
このような構成では、雨天などの高湿度の環境となり、変形部３０１が吸湿すると、図８（ａ）（断面図）および図８（ｂ）（斜視図）に示すように図の右方へ弾性部材２００ｄを押すように変形部３０１が膨張、変形し、これにより押された弾性部材２００ｄが縮小して、これに伴なって右側の釘３０２を右方に平行移動させ、右側の釘３０２と左側の釘３０２との間隔が広がる。
【００６６】
このようにして本実施例においても、雨天のような高湿度であって、たとえば、ホールへの客の入りがよくない期間において、自動的に一般入賞口１２２の上部の釘３０２、３０２の間隔を大きくし、また、晴天のように低湿度であって、ホールへの客の入りが悪くない期間においては、自動的に一般入賞口１２２の上部の釘３０２、３０２の間隔を小さくするよう自動調節を行うことができる。
【００６７】
本実施例において得られるその他の効果は、実施例１とほぼ同様であるが、本実施例の構造は、実施例２と同様に遊技盤２００の空洞内が弾性部材２００ｄと変形部３０１で満たされており、振動など影響されにくく、所期の調整位置に安定して右側の釘３０２を保持できる、という利点がある。また、実施例２よりも部品点数が少なく、より簡単安価に実施することができる。
【実施例４】
【００６８】
本実施例では、図９および図１０を参照して一般入賞口１２２上部の釘３０２の上下方向の角度を自動調節する構成を示す。図９および図１０以外の構成は実施例１で説明した構成と同等であるものとする。
【００６９】
上記実施例では、集客率のよくない、雨天などの高湿度の環境において、釘３０２、３０２の間隔を自動調節するものであったが、本実施例では、釘３０２、３０２の上下方向の角度（上げ釘か否か）を自動調節する構成を示す。
【００７０】
一般に、一般入賞口１２２のような入賞口上部のヘソ釘、命釘などと呼ばれる釘３０２、３０２は、ほぼ水平状態となっている方が遊技球をよく入賞口に導き、逆にそれよりも上方に先端が傾いたいわゆる上げ釘では、遊技球を入賞口以外の方向に弾き返す可能性が高く入賞率が下る傾向がある。
【００７１】
そこで、本実施例では、晴天のような低湿度の環境においては、上げ釘となり、雨天のような高湿度の環境においては、水平釘となるように、右側の釘３０２を自動調節する。
【００７２】
このため、本実施例では、図９（ａ）（断面図）および図９（ｂ）（斜視図）に示すように、一般入賞口１２２の上部には２本のヘソ釘、命釘などと呼ばれる釘３０２、３０２を配置するとともに、本実施例ではその左右下方にはステップ釘などと呼ばれる釘がそれぞれ１本づつ配置してある。
【００７３】
本実施例では図９（ａ）は側方から断面図となっており、同図に示すように、一般入賞口１２２は遊技盤２００の表面から背面へと貫通したほぼ各パイプ状の形状で、プラスチックなどの材質から構成されており、遊技盤２００の背面側において入賞球を導くための樋１２２ａと連通している。
【００７４】
本実施例では、図９（ｂ）のように左側の釘３０２の角度を自動調節するが、このために、この左側の釘３０２は遊技盤２００背面に設けた空洞部内に配置した木片などの剛体から成る支持体２００ｃに対して、該空洞部前面に相当する遊技盤２００表面側から打ち込んである。この空洞部前面に相当する遊技盤２００の貫通穴が、後述の左側の釘３０２の揺動支点となる。
【００７５】
さらに、図９（ａ）に示すように、支持体２００ｃの図中上側には、たとえばスポンジやゴムなどからなる弾性部材３０３を、また下側には変形部３０１を配置してある。
【００７６】
変形部３０１は、前述の各実施例と同様に吸湿により膨張する材質から構成する。弾性部材３０３は、空洞内に支持体２００ｃと変形部３０１を配置した後、空洞内に残る図の上側の空間を埋めるように詰め込まれる。
【００７７】
このような構成では、雨天などの高湿度の環境となり、変形部３０１が吸湿すると、図１０（ａ）（断面図）および図１０（ｂ）（斜視図）に示すように図の上方へ支持体２００ｃを押すように変形部３０１が膨張、変形し、これにより押された弾性部材３０３が降伏し、支持体２００ｃは上方へ移動し、左側の釘３０２の先端を下方に移動させ、左側の釘３０２の遊技盤２００表面に露出した部分は図示のように下方に揺動し、水平釘の状態に近付く。
【００７８】
このようにして本実施例においても、雨天のような高湿度であって、たとえば、ホールへの客の入りがよくない期間において、自動的に一般入賞口１２２の上部の釘３０２の１本が水平釘の状態に近付くよう揺動させ、また、晴天のように低湿度であって、ホールへの客の入りが悪くない期間においては、自動的に一般入賞口１２２の上部の釘３０２の１本が上げ釘の状態にとなるように揺動させる自動調節を行うことができる。
【００７９】
すなわち、雨天のような高湿度でホールへの客の入りがよくない期間では、遊技者に有利になるように、また、晴天のように低湿度でホールへの客の入りが悪くない期間は遊技者にそれほど有利とはならないように、遊技台を自動調節することができる。
【００８０】
本実施例において得られる効果は、釘の揺動方向が異なることを除くと、実施例２とほぼ同様である。また、このように揺動によって釘３０２の１本の上げ／下げの角度を自動調節する場合には、遊技者が視覚的に釘の上げ／下げ状態を認識しやすくなることがある。
【００８１】
また、変形部３０１で右側の釘３０２を片持ちする実施例１などの構成と異なり、支持体２００ｃは左右を変形部３０１と弾性部材３０３で支えられる構造であり、振動など影響されにくく、所期の調整位置に安定して右側の釘３０２を保持できる、という利点がある。
【００８２】
なお、ここでは左側の釘３０２のみを自動調整する例を示したが、右側の釘３０２にも同じ自動調整機構を設けるようにしてもよいのはいうまでもない。
【実施例５】
【００８３】
本実施例では、図１１および図１２を参照して一般入賞口１２２上部の釘３０２の上下方向の角度を自動調節する構成を示す。図１１および図１２以外の構成は実施例１で説明した構成と同等であるものとする。
【００８４】
実施例２に対する実施例３と同様であるが、本実施例の構造は、実施例４の構造をより簡略化したものである。
【００８５】
本実施例では、図１１（ａ）（断面図）および図１１（ｂ）（斜視図）に示すように、左側の釘３０２は遊技盤２００背面に設けた空洞部内の右側に配置したゴムなどからなる弾性部材２００ｄに打ち込んであり、弾性部材２００ｄの下側には変形部３０１を配置してある。
【００８６】
変形部３０１は、実施例１と同様に吸湿により膨張する材質から構成する。
【００８７】
以上のような構成では、雨天などの高湿度の環境となり、変形部３０１が吸湿すると、図１２（ａ）（断面図）および図１２（ｂ）（斜視図）に示すように図の上方へ弾性部材２００ｄを押すように変形部３０１が膨張、変形し、これにより押された弾性部材２００ｄが縮小して、これに伴なって左側の釘３０２の打ち込まれた先端を上方に移動させ、左側の釘３０２の遊技盤２００から露出した部分が下降して水平釘に近づくよう傾く。
【００８８】
このようにして本実施例においても、雨天のような高湿度であって、たとえば、ホールへの客の入りがよくない期間において、自動的に一般入賞口１２２の上部の釘３０２の１本が水平釘の状態に近付くよう揺動させ、また、晴天のように低湿度であって、ホールへの客の入りが悪くない期間においては、自動的に一般入賞口１２２の上部の釘３０２の１本が上げ釘の状態にとなるように揺動させる自動調節を行うことができる。
【００８９】
本実施例において得られるその他の効果は、実施例１とほぼ同様であるが、本実施例の構造は、実施例２と同様に遊技盤２００の空洞内が弾性部材２００ｄと変形部３０１で満たされており、振動など影響されにくく、所期の調整位置に安定して左側の釘３０２を保持できる、という利点がある。また、実施例４よりも部品点数が少なく、より簡単安価に実施することができる。
【実施例６】
【００９０】
本実施例では、図１３および図１４を参照して実施例１と同様に一般入賞口１２２上部の釘３０５、３０２の間隔（ただし左側の釘３０５の開き角度により決まる間隔）を自動調節する構成を示す。図１３および図１４以外の構成は実施例１で説明した構成と同等であるものとする。
【００９１】
本実施例では、図１３（ｄ）（斜視図）に示す一般入賞口１２２上部の釘３０５、３０２のうち、左側の釘３０５を自動調節する。釘３０５、３０２の左右下方にはステップ釘などと呼ばれる釘がそれぞれ１本づつ配置してある。一般入賞口１２２は、遊技盤２００の裏面において、入賞球を導くための樋１２２ａと連通している。
【００９２】
左側の釘３０５は、遊技盤２００に打ち込まれているが、その遊技盤２００の背面側には、図１３（ｃ）（断面図）に示すように、釘３０５を揺動させるための空洞部２００ｅが設けられている。
【００９３】
図１３（ａ）（背面図）および図１３（ｂ）（背面斜視図）に示すように、左側の釘３０５の打ち込まれた先端部は、変形部４０３の先端に設けられた操作部４０３ａによって操作するようになっている。
【００９４】
本実施例の変形部４０３は実施例１と同様に吸湿により膨張する特に弾性がある木材（や樹脂）のような材質から構成するが、本実施例では、変形部４０３は長い棒状に形成されたものを図１３（ａ）、図１３（ｂ）のように折り疊んで、その折り疊まれた部分の周囲を枠状の剛性体４０１で取り囲むことにより保持する。剛性体４０１は金属などの剛性材料で、比較的熱膨張係数が低く安定した材質から図示のようなほぼコの字型の形状に構成し、ビス４０２、４０２、４０２、４０２の４点止めにより遊技盤２００の裏面に固定され、これにより変形部４０３を保持する。
【００９５】
変形部４０３先端に設けられた操作部４０３ａは、カップ状の形状で、後述の自動調節時の釘３０５先端の揺動を許容するための凹部４０３ｂを有する。操作部４０３ａは、変形部４０３と一体成型により構成するか、あるいは変形部４０３の先端に接着などの方法で固定する。
【００９６】
以上の構成において、雨天などの高湿度の環境となり、変形部４０３が吸湿すると、変形部４０３は膨張して全長が長くなる。変形部４０３は、剛性体４０１で囲まれているので、変形部４０３の伸長した分は、剛性体４０１の開口部から伸びて、操作部４０３ａを介して図１４（ａ）、（ｂ）、（ｃ）のように釘３０５の打ち込まれた先端部を図の左方に押す。
【００９７】
これにより、釘３０５の先端部は、空洞部２００ｅ内、および操作部４０３ａの凹部４０３ｂ内で図の左方に傾斜し、また、釘３０５の遊技盤２００から露出した部分は、図の右方に傾斜する。
【００９８】
このようにして本実施例においても、雨天のような高湿度であって、たとえば、ホールへの客の入りがよくない期間において、自動的に一般入賞口１２２の上部の釘３０５、３０２の間隔を大きくし、また、晴天のように低湿度であって、ホールへの客の入りが悪くない期間においては、自動的に一般入賞口１２２の上部の釘３０５、３０２の間隔を小さくするよう自動調節を行うことができる。
【００９９】
なお、本実施例の変形部４０３は、剛性体４０１内で伸び縮みして突出量を変化させる必要から、ある程度の弾性を有する材質から構成する必要がある。そこで、変形部４０３を、遊技盤周辺の環境条件（湿度や温度）の変化に応じて変形するとともに、また、釘３０５を介して遊技球をはね返す反発力が変化するように構成することもできる。同様の環境条件に応じて遊技球をはね返す反発力が変化する特性は、操作部４０３ａにも付与することができる。これにより、上記のような釘３０５の環境条件に応じた変形に加え、たとえば、あまり客足の見込めない雨天などの高湿度や冬季などの低温の環境では、遊技球をはね返す反発力が小さく、晴天などの低湿度や冬季以外などの比較的高温の環境では、遊技球をはね返す反発力が大きくなるような自動制御を行うこともできる。一般に、釘が遊技球をはね返す反発力が小さい方が、より遊技球を入賞口方向に導くことが知られており、このような構成によって、環境条件がより高湿度や低温などの悪条件において、入賞確率をより高めるような自動調節が可能となる。
【０１００】
本実施例において得られるその他の効果は、実施例１とほぼ同様であるが、本実施例の構造は、剛性体４０１で囲まれた折り疊んだ長尺の変形部４０３を用いており、環境条件の変化が同じであっても、変形部４０３により、たとえば実施例１などより大きな変形量を発生することができる。このため、環境条件の変化によってより大きな自動調節範囲を遊技台に与えることができる。
【実施例７】
【０１０１】
以上では、遊技台の入賞口の上部の釘を環境条件に応じて自動調節する構成を例示したが、本実施例では、図１５（ａ）、（ｂ）を参照して入賞口１２２とともに設けた入り口部分を構成する遊技球誘導部材を環境条件に応じて自動調節する構成を示す。図１５（ａ）、（ｂ）以外の構成は実施例１で説明した構成と同等であるものとする。
【０１０２】
図１５（ａ）、（ｂ）（いずれも斜視図）は、本実施例の自動調節機構の構成を示している。図１５（ａ）、（ｂ）において、符号１２２は入賞口で、この入賞口１２２の上部左右には、遊技球誘導部材５０１、５０１を設けてある。遊技球誘導部材５０１、５０１は、図１５（ａ）、（ｂ）では、簡略化して示してあるが、たとえば（電動）チューリップや羽根などと呼ばれる誘導部材で、図示のようにたとえば直角３角形断面で、遊技球を誘導するための面を各々対向した内側に有する。
【０１０３】
遊技球誘導部材５０１、５０１は、入賞口１２２ないし他の入賞口への入賞、あるいはそれに応じて行われる抽選に応じて入賞口１２２左右上の角部近傍に設けた不図示の揺動軸を中心としてソレノイドやモータなどの駆動部材（不図示）を介して開閉される。図１５（ａ）、（ｂ）の状態では、遊技球誘導部材５０１、５０１は、開いた状態で示されているが（入賞率が高い状態）、たとえば遊技球誘導部材５０１、５０１の上端がそれぞれ遊技球の直径よりもわずかに広い程度の間隔に閉じる（入賞率が低い状態）こともできる。
【０１０４】
本実施例は、図１５（ａ）、（ｂ）のように、遊技球誘導部材５０１、５０１が開いた状態において、たとえば湿度などの環境条件に湿度などの環境条件に応じて遊技球誘導部材５０１、５０１による遊技球誘導を自動制御する。
【０１０５】
このため、遊技球誘導部材５０１、５０１には、遊技球誘導部材５０１、５０１の上部の鋭角部分を狭む２辺の部分を変形部５０２、５０２として構成する。
【０１０６】
この変形部５０２、５０２は、実施例１と同様に吸湿により膨張する薄板（木材、ないしは樹脂など）などから構成する。あるいは、後述するような環境温度に応じて自動調節を行う構成においては、環境温度に応じて変形する部材、たとえば特定の温度範囲において特定の形状に復帰する形状記憶合金などを用いることもできるが、本実施例ではとりあえず自動調節を行うための環境条件としては前述同様に湿度を用いる例を説明する。
【０１０７】
複数の変形部５０２、５０２は、図１５（ａ）に示すように、上記のような薄板を遊技球誘導部材５０１、５０１の上部の鋭角部分に沿うように折り疊んだ形状であり、たとえば変形部５０２、５０２の両端部において、遊技球誘導部材５０１、５０１の２つ底辺部近傍の部位に対して接着ないしビス止めなどにより固定しておく。
【０１０８】
そして、晴天などの低湿度の環境条件では、図１５（ａ）に示すように、変形部５０２、５０２上部の角部は、緩い（完全には鋭角ではない）折り疊み状態であり、遊技球誘導部材５０１、５０１全体の長さは相対的に短いが、雨天などの高湿度の環境条件では、図１５（ｂ）に示すように、両端部を遊技球誘導部材５０１、５０１底辺周辺に固定された変形部５０２、５０２全体が伸長することによって、変形部５０２、５０２上部の角部は、より鋭角な折り疊み状態に近づき、これにより、遊技球誘導部材５０１、５０１全体の長さが延長された状態となる。
【０１０９】
特に、図１５（ａ）の低湿度の環境条件では、変形部５０２、５０２の先端が丸く、このために遊技球誘導部材５０１、５０１の遊技球の誘導範囲が狭く、また、図１５（ｂ）の高湿度の環境条件では、変形部５０２、５０２の先端が鋭角であり、この分、遊技球誘導部材５０１、５０１の遊技球の誘導範囲が広範囲となる。
【０１１０】
このようにして本実施例においては、雨天のような高湿度であって、たとえば、ホールへの客の入りがよくない期間においては、自動的に入賞口１２２への入賞確率が高くなるように、また、晴天のように低湿度であって、ホールへの客の入りが悪くない期間においては、自動的に入賞口１２２への入賞確率がそれほど高くならないように、自動調節を行うことができる。
【０１１１】
本実施例において得られるその他の効果は、実施例１とほぼ同様であるが、本実施例は、遊技球誘導部材５０１、５０１に変形部５０２、５０２を装着するだけで構成でき、簡単安価に実施できる、という利点がある。
【実施例８】
【０１１２】
本実施例では、図１６（ａ）〜（ｄ）を参照して可変入賞口（大入賞口またはアタッカー）の扉部材に設けた遊技球誘導部材を環境条件に応じて自動調節する構成を示す。図１６（ａ）〜（ｄ）以外の構成は実施例１で説明した構成と同等であるものとする。
【０１１３】
図１６（ａ）（斜視図）、（ｂ）（断面図）は、本実施例の自動調節機構の構成を示している。図１６（ａ）、（ｂ）において、符号１３０は可変入賞口で、この可変入賞口１３０の下辺には、扉部材６０１がヒンジ部を介して揺動自在に支持されている。扉部材６０１は、不図示の入賞口への入賞に応じて行われる抽選に応じてソレノイドやモータなどの駆動部材（不図示）を介して図１６（ａ）、（ｂ）のように開放状態に制御される。
【０１１４】
扉部材６０１の左右端部には、それぞれ複数の変形部６０２、６０２が結合されている。変形部６０２、６０２は、上述の実施例と同様に環境条件、たとえば湿度や温度に応じて変形する木材や樹脂などの材質から構成する。
【０１１５】
変形部６０２、６０２は、晴天のような低湿度の環境においては、図１６（ａ）、（ｂ）に示すように先端が下方へ湾曲した形状に変形し、一方、雨天のような高湿度の環境においては、図１６（ｃ）、（ｄ）に示すように先端がほぼ水平となる形状に変形するよう構成する。
【０１１６】
このように湿度に応じて変形部６０２、６０２を変形させるには、変形部６０２、６０２は、たとえば湿度に依存した膨張率の異なる２枚の木材や樹脂から成る薄板を貼り合せることにより構成し、特に図１６（ｂ）および（ｄ）における下側の薄板を膨張率が大きいもの、上側の薄板を膨張率が小さいものとする。
【０１１７】
これにより、上記のように、晴天のような低湿度の環境においては、変形部６０２、６０２が、図１６（ａ）、（ｂ）に示すように先端が下方へ湾曲した形状に変形して可変入賞口１３０への入賞確率がそれほど高くならないように、一方、雨天のような高湿度の環境においては、図１６（ｃ）、（ｄ）に示すように先端がほぼ水平となる形状に変形して可変入賞口１３０への入賞確率が高くなるように、自動制御することができる。
【０１１８】
また、冬季のように低温で客足が遠のきやすい期間では、変形部６０２、６０２が図１６（ｃ）、図１６（ｄ）のように変形して可変入賞口１３０への入賞確率が高くなるように、それ以外の期間では変形部６０２、６０２が図１６（ａ）、図１６（ｂ）のように変形して可変入賞口１３０への入賞確率がそれほど高くならないよう自動制御することも考えられる。
【０１１９】
この場合には、変形部６０２、６０２を温度に依存した膨張率の異なる２枚の木材、金属、樹脂などから成る薄板を貼り合せることにより構成し、特に図１６（ｂ）および（ｄ）における上側の薄板を膨張率が大きいもの、下側の薄板を膨張率が小さいものとする。
【０１２０】
これにより、上記のように、春期、夏期、秋季などの比較的高温の環境においては、変形部６０２、６０２が、図１６（ａ）、（ｂ）に示すように先端が下方へ湾曲した形状に変形して可変入賞口１３０への入賞確率がそれほど高くならないように、一方、冬季などの低温の環境においては、図１６（ｃ）、（ｄ）に示すように先端がほぼ水平となる形状に変形して可変入賞口１３０への入賞確率が高くなるように、自動制御することができる。
【０１２１】
本実施例において得られるその他の効果は、実施例１とほぼ同様であるが、本実施例は、扉部材６０１に変形部６０２、６０２を装着するだけで構成でき、簡単安価に実施できる、という利点がある。
【実施例９】
【０１２２】
本実施例では、図１７および図１８を参照して、液晶表示装置１１０を遊技盤２００から凹んだステージ奥に配置し、ステージ上での遊技球転動を環境条件に応じて自動調節し、ステージの下部に配置したスルーチャッカ１２４ａ（始動口）への入賞確率を変化させる構成を示す。図１７および図１８以外の構成は実施例１で説明した構成と同等であるものとする。
【０１２３】
本実施例では、遊技球を転動させるための転動部として変形部７０１を設け、この変形部７０１を環境条件（湿度あるいは温度など）に応じて変形させることにより、転動部としての変形部７０１から落下する遊技球の落下方向を自動調節する。
【０１２４】
図１７に示すように、本実施例では液晶表示装置１１０は、遊技盤２００から凹んだ凹部２００ｆの奥に配置し、この凹部２００ｆの底部付近に変形部７０１をブロック７０２、７０２で浮かせて配置してある。この変形部７０１は、いわゆる「ステージ」として機能するもので、手前側がわずかに低くなるように凹部２００ｆ内に配置されている。
【０１２５】
凹部２００ｆの下部中央には、スルーチャッカ１２４ａを配置し、その上部にはヘソ釘、およびステップ釘を配置してある。遊技球は、遊技盤上の不図示の釘などで反発して、方向を変えられ、変形部７０１により構成されたステージ上に入り込むと、変形部７０１上をランダムに転動した後、手前側に転動して再び遊技盤前面に落下する。このとき、遊技球は変形部７０１中央から落下すればスルーチャッカ１２４ａに入賞することになる。
【０１２６】
変形部７０１は、上述の実施例と同様に環境条件、たとえば湿度や温度に応じて変形する木材や樹脂などの材質から構成する。変形部７０１は、客足がかなり見込める冬季以外の高温環境、あるいは晴天などの低湿度環境において、図１７のようにほぼ水平の状態、また、客足があまり見込めない冬季の低温環境、あるいは雨天などの高湿度環境において、図１８のようにほぼ水平よりも下方に湾曲した状態に変形するよう構成する。
【０１２７】
湿度に応じて上記のように変形部７０１を変形させるには、変形部７０１は、たとえば湿度に依存した膨張率の異なる２枚の木材や樹脂から成る薄板を貼り合せることにより構成し、特に図１７、図１８における上側の薄板を膨張率が大きいもの、下側の薄板を膨張率が小さいものとする。
【０１２８】
また、温度に応じて上記のように変形部７０１を変形させるには、変形部７０１は、たとえば温度に依存した膨張率の異なる２枚の木材、金属、樹脂などから成る薄板を貼り合せることにより構成し、特に図１７、図１８における下側の薄板を膨張率が大きいもの、上側の薄板を膨張率が小さいものとする。
【０１２９】
本実施例によれば、湿度に応じて自動調節を行う構成においては、晴天のような低湿度の環境では、変形部７０１が図１７に示すようにほぼ水平となる形状に変形してスルーチャッカ１２４ａへの入賞確率がそれほど高くならないように、一方、雨天のような高湿度の環境では、変形部７０１が図１８に示すように中央が下方へ湾曲した形状に変形して変形部７０１中央へ遊技球が集りやすくなってスルーチャッカ１２４ａへの入賞確率が高くなるように、自動制御することができる。
【０１３０】
また、温度に応じて自動調節を行う構成においては、冬季以外の比較的高温の環境では、変形部７０１が図１７に示すようにほぼ水平となる形状に変形してスルーチャッカ１２４ａへの入賞確率がそれほど高くならないように、一方、冬季のような低温の環境では、図１８に示すように中央が下方へ湾曲した形状に変形して変形部７０１中央へ遊技球が集りやすくなってスルーチャッカ１２４ａへの入賞確率が高くなるように、自動制御することができる。
【０１３１】
本実施例において得られるその他の効果は、実施例１とほぼ同様であるが、本実施例は、ステージとして湿度や温度などの環境条件に応じて変形する変形部７０１を装着するだけで構成でき、簡単安価に実施できる、という利点がある。
【実施例１０】
【０１３２】
本実施例では、図１９および図２０を参照して、液晶表示装置１１０を遊技盤２００から凹んだステージ奥に配置し、ステージ上での遊技球転動を環境条件に応じて自動調節し、ステージの下部に配置したスルーチャッカ１２４ａ（始動口）への入賞確率を変化させる構成を示す。図１９および図２０以外の構成は実施例１で説明した構成と同等であるものとする。
【０１３３】
図１９および図２０に示した基本構造は、実施例９の図１７および図１８に示したものと同様であるが、本実施例では、ステージとしての変形部７０１は、環境条件、たとえば湿度や温度に応じて、特性が変化するものであるのは上述の実施例と同様であるが、本実施例の変形部７０１は、その上面の摩擦係数が環境条件に応じて変化する材質とする点が異なる。本実施例では、ステージとしての変形部７０１は、図１９および図２０のように中央があらかじめ下方に湾曲した形状となるよう、ブロック７０２、７０２を介して凹部２００ｆの底部付近に装着してある。
【０１３４】
変形部７０１の、環境条件、特に湿度や温度に応じて、その上面の摩擦係数が変化する材質としては、たとえば、上面に起毛加工されたような樹脂板が考えられる。この場合、この変形部７０１上面の起毛部分（不図示）が客足がかなり見込める冬季以外の高温環境、あるいは晴天などの低湿度環境において、水平に近い状態となり摩擦係数が比較的小さくなり、また、客足があまり見込めない冬季の低温環境、あるいは雨天などの高湿度環境において、垂直により立ち上がった状態となるように変形して摩擦係数が比較的大きくなるよう構成しておく。なお、湿度や温度などの環境条件に応じて、その上面の摩擦係数が変化する材質の構成はこのような構成に限定されないのはいうまでもない。
【０１３５】
このような構成によれば、晴天のような低湿度の環境、または冬季以外の比較的高温な環境では、変形部７０１上面の摩擦係数が比較的小さくなり、これによって遊技球が減速しにくくなり、図１９中の軌跡１００１で示すようにステージ中央に遊技球が集まらなくなり、スルーチャッカ１２４ａへの入賞確率がそれほど高くならないように自動制御することができる。一方、雨天のような高湿度の環境、または冬季のような低温の環境では、変形部７０１上面の摩擦係数が比較的大きくなり、これによって遊技球が減速しやすくなり、図２０中の軌跡１００１で示すようにステージ中央に遊技球が集まりやすくなるので、スルーチャッカ１２４ａへの入賞確率が高くなるように自動制御することができる。
【０１３６】
本実施例において得られるその他の効果は、実施例１とほぼ同様であるが、本実施例は、ステージとして湿度や温度などの環境条件に応じて上面の摩擦係数が変化する変形部７０１を装着するだけで構成でき、簡単安価に実施できる、という利点がある。
【実施例１１】
【０１３７】
本実施例では、図２１および図２２を参照して、可変入賞口（大入賞口またはアタッカー）の扉部材の位置を環境条件に応じて自動調節する構成を示す。図２１および図２２以外の構成は実施例１で説明した構成と同等であるものとする。
【０１３８】
図２１（ａ）（斜視図）、（ｂ）（正面図）は、本実施例の自動調節機構の構成を示している。図２１（ａ）、（ｂ）において、符号６０２は可変入賞口で、この可変入賞口１３０の下辺には、扉部材６０１がアーム部６０１ａ、６０１ａ、を介して揺動自在に支持されている。扉部材６０１は、不図示の入賞口への入賞に応じて行われる抽選に応じてソレノイドやモータなどの駆動部材（不図示）を介して図２１（ａ）、（ｂ）、図２２（ａ）、（ｂ）のように開放状態に制御される。
【０１３９】
可変入賞口１３０の右側奥には、入賞口６０３を設けてある。扉部材６０１上に落下した遊技球は、扉部材６０１、および凹部として構成された可変入賞口１３０底面を転動して、入賞口６０３に入賞するが、入賞しなかった遊技球は、わずかに手前が低く構成された可変入賞口１３０底面、ほぼ水平の扉部材６０１を転動して下方に落下する。
【０１４０】
このように可変入賞口１３０の右方に入賞口６０３を設ける構造では、扉部材６０１がより左方に位置していた時の方が入賞確率が高くなる。たとえば、可変入賞口１３０の右方から入り入賞口６０３に入るコースは、入賞口６０３を右側に設けてあるために限定されており、扉部材６０１がより右方に位置していたとしてもほとんど増えない。これに対して、扉部材６０１をより左方に移動させれば、可変入賞口１３０の左方から入り、右方へと転動する遊技球のコースが増えるため、入賞確率は向上する。
【０１４１】
そこで本実施例では、図２１（ａ）、図２１（ｂ）に示すように、扉部材６０１の左側のアーム部６０１ａと、可変入賞口１３０の左側の壁の間に変形部３０１を配置してある。
【０１４２】
変形部３０１は、図中にハッチングで示した部分で、環境条件、たとえば湿度によって膨張する材質、膨張係数の大きな木材（や樹脂）、特に、乾燥した木材などから構成する。変形部３０１は、吸湿によって膨張して、扉部材６０１の左側のアーム部６０１ａを内側から図の左方に押す。
【０１４３】
このような構成によれば、たとえば晴天などの低湿度の環境において、図２１（ａ）、（ｂ）のような位置にあったとすると、それよりも湿度の高い雨天などの環境においては、変形部３０１が吸湿によって膨張し、扉部材６０１の左側のアーム部６０１ａを内側から図の左方に押すために、図２２（ａ）（斜視図）、図２２（ｂ）のように扉部材６０１全体を左方に移動させる。なお、扉部材６０１と、扉部材６０１を開閉させるソレノイドやモータなどの駆動部材はこのような扉部材６０１の左右の移動を許容できるようにルーズに結合されているものとする。これにより、扉部材６０１がより左方に移動するので、可変入賞口１３０の左方から入り、右方へと転動する遊技球のコースが増えるため、入賞口６０３へ遊技球が入る入賞確率は向上する。
【０１４４】
このようにして、上記のように、晴天のような低湿度の環境においては、図２１（ａ）、（ｂ）のように扉部材６０１を右方に位置させ、可変入賞口１３０への入賞確率がそれほど高くならないように、一方、雨天のような高湿度の環境においては、図２２（ａ）、（ｂ）に示すように扉部材６０１を左方に位置させ、可変入賞口１３０への入賞確率が高くなるように、自動制御することができる。
【０１４５】
本実施例において得られるその他の効果は、実施例１とほぼ同様であるが、本実施例は、扉部材６０１を揺動させるアーム部６０１ａに変形部３０１を装着するだけで構成でき、簡単安価に実施できる、という利点がある。
【実施例１２】
【０１４６】
本実施例では、図２３、図２４を参照して入賞口１２２とともに設けた遊技球誘導部材を環境条件に応じて自動調節する構成を示す。図２３、図２４以外の構成は実施例１で説明した構成と同等であるものとする。
【０１４７】
本実施例は、実施例７（図１５（ａ）、（ｂ））に類似の入賞口１２２とともに（電動）チューリップや羽根などと呼ばれる複数の遊技球誘導部材５０３、５０３を設けた構造である。
【０１４８】
図２３、図２４の構造は、実施例７の場合と異なり、遊技球誘導部材５０３、５０３全体を湿度などの環境条件に応じて変形する変形部として構成する。また、本実施例では、遊技球誘導部材５０３、５０３はいずれも３角形断面であるが、左側の遊技球誘導部材５０３よりも右側の遊技球誘導部材５０３を長く構成してある。
【０１４９】
遊技球誘導部材５０３、５０３はいずれも実施例１と同様に吸湿により膨張する材料（木材、ないしは樹脂など）などから構成する。あるいは、後述するような環境温度に応じて自動調節を行う構成においては、環境温度に応じて変形する部材、たとえば特定の温度範囲において特定の形状に復帰する形状記憶合金などを用いることもできるが、本実施例ではとりあえず自動調節を行うための環境条件としては前述同様に湿度を用いる例を説明する。
【０１５０】
遊技球誘導部材５０３、５０３を実施例１と同様に吸湿により膨張する材料から構成するため、晴天のような低湿度の環境においては、遊技球誘導部材５０３、５０３が図２３のように短い状態で、遊技球誘導部材５０３、５０３（羽根）の間隔は比較的狭く、遊技球を誘導する範囲が狭いため、入賞口１２２への入賞確率がそれほど高くないが、一方、雨天のような高湿度の環境においては、図２４のように遊技球誘導部材５０３、５０３全体が膨張して上方へと伸び、遊技球誘導部材５０３、５０３（羽根）の間隔が広がり、遊技球を誘導する範囲が広くなるため、入賞口１２２への入賞確率が高くなるように、自動制御が行われる。
【０１５１】
本実施例において得られるその他の効果は、実施例７とほぼ同様であるが、本実施例は、実施例７のように遊技球誘導部材５０３、５０３に別体の変形部を装着する必要がなくなるため、より簡単安価に実施できる、という利点がある。
【実施例１３】
【０１５２】
本実施例では、図２５〜図２８を参照して入賞口１２２とともに設けた遊技球誘導部材の制御位置（開き具合）を環境条件に応じて自動調節する構成を示す。図２５〜図２８以外の構成は実施例１で説明した構成と同等であるものとする。
【０１５３】
本実施例は、実施例７（図１５（ａ）、（ｂ））、および実施例１２（図２３、図２４）に類似の、入賞口１２２とともに（電動）チューリップや羽根などと呼ばれる遊技球誘導部材８０１、８０１を設けた構造である。
【０１５４】
図２５（ａ）（正面図）、図２５（ｂ）（前方斜視図）、図２６（ａ）（後方斜視図）、図２６（ｂ）（背面図）は、本実施例の自動調節機構の構成を示している。
【０１５５】
ここでは、入賞口１２２とともに設けられた遊技球誘導部材８０１、８０１の駆動機構も図示しており、この駆動機構に設けられた連動部材８０５を環境条件に依存して変形する変形部として構成することにより、遊技球誘導部材８０１、８０１の制御位置を自動調節する。
【０１５６】
図２５（ａ）、図２５（ｂ）、図２６（ａ）、図２６（ｂ）において、符号８００は基板で、この基板８００は本実施例では遊技盤（２００：不図示）に嵌装可能なように遊技盤と同等の木材から正方形に構成されている。あるいは、あるいはこのような嵌装構造を用いない場合には、基板８００として示した部分は図２に示したようなフルサイズの遊技盤２００に置換することもできる。
【０１５７】
基板８００の前面側には入賞口１２２が配置され、入賞口１２２に入賞した遊技球は基板８００の裏面に配置されたソレノイド部８０２内などを通過する樋（不図示）を経由するなどして遊技島側に排出される。
【０１５８】
ソレノイド部８０２は、直方体形状のケース内に遊技球誘導部材８０１、８０１の位置を制御する駆動手段としてソレノイドを収容している。このソレノイドのアーマチュアは基板８００に設けたガイド板８０２ａに上下方向に摺動自在に支持されており、その先端にはブロック８０３を介して連動部材８０５を装着してある。ブロック８０３とガイド板８０４の間にはリターンスプリング８０４が弾装されている。
【０１５９】
連動部材８０５は、左右の端部にそれぞれ１つづつ長穴を設けてあり、この長穴内に遊技球誘導部材８０１、８０１の背面に立設されたピン８０１ａ、８０１ａを挿入してある。連動部材８０５は、環境条件、たとえば湿度に応じて変形する木材などから構成し、高湿度の環境では吸湿により膨張して左右方向の長さが低湿度の状態よりも長くなる。
【０１６０】
ソレノイド部８０２のソレノイドを駆動していない時は、リターンスプリング８０４の付勢力によりブロック８０３およびソレノイドのアーマチュアが上死点まで上方に押し上げられており、図２５（ａ）、図２５（ｂ）、図２６（ａ）、図２６（ｂ）に示すようにピン８０１ａ、８０１ａが連動部材８０５の長穴の内側近傍に位置することにより、遊技球誘導部材８０１、８０１はほぼ直立した閉じた状態となる。なお、この遊技球誘導部材８０１、８０１が閉じた状態の角度は、ピン８０１ａ、８０１ａと連動部材８０５の長穴との接触状態によって決定されるのではなく、ブロック８０３およびソレノイドのアーマチュアが上死点の位置により決定されるよう、連動部材８０５の長穴の内側の位置は連動部材８０５の膨張収縮があってもピン８０１ａ、８０１ａと接触しないよう、余裕をもって形成されているものとする。
【０１６１】
これに対して、ソレノイド部８０２のソレノイドを駆動し、アーマチュアでブロック８０３を介して連動部材８０５を下方に引き下げると、図２７（ａ）（正面図）、図２７（ｂ）（背面図）、あるいは図２８（ａ）（正面図）、図２８（ｂ）（背面図）に示すように、ピン８０１ａ、８０１ａが連動部材８０５の長穴の外側端部まで滑って移動し、遊技球誘導部材８０１、８０１が図示のように左右に揺動して開く。これによって、入賞口１２２への入賞確率が向上し、遊技者にとって有利な状態となる。
【０１６２】
ここで、図２７（ａ）、図２７（ｂ）は連動部材８０５が低湿度で短い状態、図２８（ａ）、図２８（ｂ）は連動部材８０５が高湿度で長い状態をそれぞれ示している。
【０１６３】
すなわち、晴天のような低湿度の環境においては、図２７（ａ）、図２７（ｂ）のように連動部材８０５が短く、遊技球誘導部材８０１、８０１の上端の距離は、距離Ｗ１となっている。
【０１６４】
これに対して雨天のような高湿度の環境においては、図２８（ａ）、図２８（ｂ）のように連動部材８０５が吸湿して長くなるため、ピン８０１ａ、８０１ａが連動部材８０５の長穴の外側端部に接触するまでソレノイド部８０２で引き下げると、ソレノイドのアーマチュアはより低い位置まで下降する。当然ながら、連動部材８０５の膨張により、その長穴の外側端部の位置は図２７（ａ）、図２７（ｂ）の場合よりも外側に移動しており、このために図２８（ａ）、図２８（ｂ）のように遊技球誘導部材８０１、８０１はより広く開くことになる。このとき、遊技球誘導部材８０１、８０１の上端の距離は、上記の距離Ｗ１よりも長い距離Ｗ２となっている。
【０１６５】
このようにして本実施例においては、雨天のような高湿度であって、たとえば、ホールへの客の入りがよくない期間において、自動的に図２８（ａ）、図２８（ｂ）のように遊技球誘導部材８０１、８０１を開いた時の開度が大きくなり入賞確率が向上するように、また、晴天のように低湿度であって、ホールへの客の入りが悪くない期間においては、自動的に遊技球誘導部材８０１、８０１を開いた時の開度が小さくなり入賞確率がそれほど大きくならないように自動調節を行うことができる。
【０１６６】
本実施例において得られるその他の効果は、実施例１とほぼ同様であるが、特に本実施例によれば、遊技球誘導部材８０１、８０１を閉じた時の開度は環境条件によって決定されず、遊技球誘導部材８０１、８０１を開いた時の開度のみを環境条件、特に湿度に応じて自動調節することができる。
【実施例１４】
【０１６７】
本実施例では、図２９、図３０を参照して一般入賞口１２２上にステップ釘とともに配置された釘９０１、９０１間の距離（開き具合）を環境条件に応じて自動調節する例を示す。図２９、図３０以外の構成は実施例１で説明した構成と同等であるものとする。
【０１６８】
本実施例では、球が衝突する部位（釘）そのものを変形させることにより、釘（９０１、９０１）間の距離（開き具合）を自動調節する。なお、本実施例は、実施例１〜６および後述の実施例１５の構成と組合せる、すなわち、球が衝突する部位（釘）そのもの、および遊技盤に障害物（釘）を固定するための部位(釘の根元の木材などの変形部)の両方を変形させる構成としてもよい。これによって環境条件に応じて、より大きな変形範囲、したがって、入賞確率の変動を生じさせることができる。
【０１６９】
本実施例においては、遊技盤２００に配置した一般入賞口１２２の上部にステップ釘とともに配置された釘９０１、９０１を配置するが、この釘９０１、９０１を環境条件、たとえば温度に依存して変形する金属材料によって構成する。
【０１７０】
たとえば、客足がかなり見込める冬季以外の高温環境では、図２９（ａ）（上面図）、図２９（ｂ）（斜視図）に示すように釘９０１、９０１が相互にほぼ平行となる（距離Ｗ１）ような形状に、また、客足があまり見込めない冬季の低温環境では、図３０（ａ）（上面図）、図３０（ｂ）（斜視図）に示すようにたとえば釘９０１、９０１の遊技盤２００から突出した先端が相互に遠ざかるように広がる（距離Ｗ２）ような形状にそれぞれ変形するように構成する。
【０１７１】
このような構成は、釘９０１、９０１を第１の特定の温度範囲（高温条件）において図２９（ａ）、図２９（ｂ）のような形状を取り、また、第２の特定の温度範囲（低温条件）において図３０（ａ）、図３０（ｂ）のような形状を取るような、たとえば形状記憶合金などから構成することにより実現できる。なお、このような材質から成る釘９０１、９０１は、当然のことながら変形方向があらかじめ決まっているから、図３０（ａ）、図３０（ｂ）のように釘９０１、９０１が開いた時、その変形方向が設計意図と合致した方向となるように遊技盤２００に打ち込まなければならない。
【０１７２】
本実施例の構成によれば、たとえば冬季以外の比較的高温な環境では、一般入賞口１２２の入賞確率がそれほど高くならないように自動制御することができ、一方、冬季のような低温の環境では、一般入賞口１２２の入賞確率が高くなるように自動制御することができる。
【０１７３】
本実施例において得られるその他の効果は、実施例１とほぼ同様であるが、釘９０１、９０１の材質を変更するだけで済むため、変形部などを用いる必要がなく、部品点数が少なく構造が簡単であり、簡単安価に実施できる、という利点がある。
【実施例１５】
【０１７４】
本実施例では、図３１および図３２を参照して実施例２に類似の構造を用いて、一般入賞口１２２上部の釘３０２、３０２の間隔を自動調節する構成を示す。ただし、本実施例では、実施例２では、右側の釘３０２の開き角度により釘３０２、３０２の間隔を決定するのではなく、右側の釘３０２を平行移動することにより釘３０２、３０２の間隔を決定する。図３１および図３２以外の構成は実施例１で説明した構成と同等であるものとする。
【０１７５】
本実施例においても、図３１（ａ）（断面図）および図３１（ｂ）（斜視図）に示すように、右側の釘３０２は 遊技盤２００背面に設けた空洞部内に配置した木片などの剛体から成る支持体２００ｃに対して、該空洞部前面に相当する遊技盤２００表面側から打ち込んである。本実施例では、右側の釘３０２を平行移動させるために、上記空洞部の前面の遊技盤２００表面には、右側の釘３０２の移動範囲に相当する長さの長孔などを設けておく（不図示）。
【０１７６】
さらに、図３１（ａ）に示すように、支持体２００ｃの図中右側には、たとえばスポンジやゴムなどからなる弾性部材３０３を、また左側には変形部３０１を配置してある。本実施例では平行移動により右側の釘３０２を移動させるために、図５、図６とは変形部３０１と弾性部材３０３の位置関係が逆になっている。
【０１７７】
変形部３０１は、実施例１、２と同様に吸湿により膨張する木材などの材質から構成する。弾性部材３０３は、空洞内に支持体２００ｃと変形部３０１を配置した後、空洞内に残る図の左側の空間を埋めるように詰め込まれる。
【０１７８】
このような構成では、雨天などの高湿度の環境となり、変形部３０１が吸湿すると、図３２（ａ）（断面図）および図３２（ｂ）（斜視図）に示すように図の右方へ支持体２００ｃを押すように膨張、変形し、これにより押された弾性部材３０３が降伏し、支持体２００ｃは右方へ移動し、右側の釘３０２を右方に平行移動させ、左側の釘３０２との間の距離が広くなるように開く。
【０１７９】
このようにして本実施例においても、雨天のような高湿度であって、たとえば、ホールへの客の入りがよくない期間において、自動的に一般入賞口１２２の上部の釘３０２、３０２の間隔を大きくし、また、晴天のように低湿度であって、ホールへの客の入りが悪くない期間においては、自動的に一般入賞口１２２の上部の釘３０２、３０２の間隔を小さくするよう自動調節を行うことができる。その他の効果は、実施例２の場合と同様である。
＜変形例＞
以上の実施例において、変形部を２つ以上、複数設けたものがあり、たとえば、実施例７、８、１２などがこのような構成である。このように第１および第２の変形部を有する構成においては、これら第１および第２の変形部を、遊技盤周辺の環境条件（たとえば湿度や温度）の変化が第１の状態から第２の状態に変化する場合に、所定の第１の変形量だけ変形する第１の変形部、および前記第１の変形量とは異なる所定の第２の変形量だけ変形する第２の変形部とする構成が考えられる。具体的には、実施例７、１２におけるような環境条件に応じて形状が変化する（電動）チューリップの上に、実施例１〜６におけるような環境条件に応じて開度が変化するような釘を設けた構成が考えられる。このような構成は、同一の入賞口に対して異なる環境変化特性を有する異なる２種類以上の変形部を有する構成として考えることができる。また、左方から遊技球が進入するような位置に配置され、入賞口とともに（電動）チューリップを構成する２つの変形部から成る遊技球誘導部材があった場合、たとえば右方の遊技球誘導部材の変形量を大きくしておき、入賞口への入賞効率を環境条件に応じて自動調節する構成もその一例である。
【０１８０】
また、以上では、遊技台を自動調節するパラメータを遊技盤周辺の湿度や温度などの環境条件の１つであるものとして説明したが、遊技台を自動調節するための変形部の変形を遊技盤周辺の湿度や温度などの複数の形態のエネルギーの量に応じて変化させることも考えられる。たとえば、複数の変形部として第１の変形部と第２の変形部を含む構成においては、遊技盤周辺の環境が有する第１の形態のエネルギーの量が第１の量から第２の量に変化する場合に、前記第１の変形部が第１の変形量だけ変形するとともに、前記第２の変形部が前記第１の変形量よりも大きい第２の変形量だけ変形し、遊技盤周辺の環境が有する第２の形態のエネルギーの量が第３の量から第４の量に変化する場合に、前記第１の変形部が第３の変形量だけ変形するとともに、前記第２の変形部が前記第３の変形量よりも小さい第４の変形量だけ変形するように自動制御を行うことが考えられる。実施例７、１２におけるような第１の環境条件、たとえば湿度に応じて形状が変化する（電動）チューリップの上に、実施例１４において例示したような第２の環境条件、たとえば温度に応じて開度が変化するような釘を設けた構成が、一例として考えられる。
【０１８１】
以上の実施例では、環境条件に応じて自動調節する遊技球の落下の方向を変化させるための障害物として、釘やチューリップや羽根、可変入賞口の扉部材などの遊技球誘導部材を考えたが、本発明ではたとえば入賞確率を環境条件に応じて自動調節することができれば所期の目的を達成できるから、環境条件に応じて自動調節すべき障害物としては、遊技台に設けられ、遊技球の転動や反発に影響を与える部材であれば、たとえば、発射レール（外レール１０８、内レール１０６など）や球戻り防止片、返しゴムなども含めて考えることができ、これらの部材を上述同様に環境条件に応じて自動調節することによりたとえば入賞確率を変化させることができる。当然ながら、遊技球の落下の方向に影響を与えることができる障害物としては発射槌１４０、発射杆１３８、など球が接触する可能性の部材が考えられ、これらの部材を上述同様に環境条件に応じて自動調節することによりたとえば入賞確率を変化させることができる。
【０１８２】
また、入賞口とともに遊技球誘導部材を設ける構成ではなく、入賞口のみを独立して遊技盤上に設ける場合には、その入賞口を構成する部材に直接変形部を設けても良い。たとえば、入賞口の上部開口の大きさが環境条件（湿度や温度など）によって変化するような構成を採用してもよい。たとえば、このような入賞口の場合、環境条件（湿度や温度など）によって、入賞口の口縁部が変形したり、入り口が大きくなるなどの変形をさせることができ、また、その変形の方向も遊技盤と平行な方向や、盤から透明板(ガラス)に向かう方向など、任意の方向とすることができる。
【０１８３】
また、遊技台を自動調節するための環境条件としては、天候や気温などによって決定される条件のみならず、遊技盤裏面における熱、例えば基板からの排熱、遊技球通路を通過する球の落下のエネルギーなどを利用してもよい。すなわち、これらの熱や位置エネルギーの量に応じて変形部を変形させるような構成を採用してもよい。また、環境条件を示す情報をたとえば温度や温度を検出するセンサを介して検知し、検知した環境情報を用いて変形部をソレノイドやモータなどの能動部品を介して、強制的に変形させる構成を採用することもできる。このような構成によれば、遊技台の外部から入賞率を変化させることができ、たとえば店員が各パチンコの稼動中に出玉率を調節することも可能になる。
【０１８４】
また、以上では、遊技台としてパチンコ機を考えたが、遊技台としてはパチスロ機なども考えられる。たとえば、環境条件（湿度や温度など）に応じてパチスロのリールの直径などを自動調節する、たとえば、リール帯が長手方向に伸びる、あるいはリールフレームの外径が大きくなるなどの変化を生じさせるよう構成することが考えられる。このような構成により、たとえば高湿度や低温などの客足に関する悪条件において、図柄が見やすくなるように遊技台を自動調節することができる。
【０１８５】
なお、環境条件に応じて変形する変形部は、最低限、釘などを動かす程度の力を生じることができる、また、所期の設計条件を達成できるような環境条件に応じた寸法変化を生じさせることができ、さらに遊技台の耐久性を保証できるような強度を有するものであれば、木材や樹脂などの任意の材質から構成することができる。
【０１８６】
さらに、本発明を実施するのに必要な構成要素については以下に示すような種々の変形例が考えられる。たとえば、環境条件に応じて自動調節される、遊技球の落下の方向を変化させる障害物としては、釘、風車の羽根、ステージ、入賞口の構成部材など遊技球が接触してその落下／転動方向に変化を与える構造物であれば任意のものを含めることができ、また、遊技球が転動中に通過するワープ通路（たとえば上述のワープ装置２３０）や、このワープ通路の出入り口、通路内の突部形状なども、環境条件に応じて自動調節される遊技球の落下の方向を変化させる障害物として考えることができる。
【０１８７】
固定部材は遊技球の接触の有無に関わらず、遊技盤と障害部材との間を仲介する部材であれば任意のものであってよい。たとえば、遊技球の落下の方向を変化させる障害物を固定するための固定部材（たとえば実施例１においては支持体２００ｃ）には、ネジなどの任意の締結部品も含んでよい。
【０１８８】
先に触れた、環境条件に応じて入賞口の入口の形状を変化させる構成をより一般化して考えれば、他の構造物の形状を支える部材、たとえばステージ内のリブ、電チュー、アタッカなどのリンク部なども環境条件に応じて遊技台を自動調節するための変形部を設ける対象として含めて考えることができる。また、環境条件に応じて自動調節される釘、風車の羽根、ステージのような障害物は、死に球(入賞口やアウト口内、遊技盤面の下流のアウト口のみの位置)を転動させる位置に設けられていてもよく、これによって死に球の落下や転動の方向に影響を与えても良い。
【０１８９】
また、環境条件に応じて自動調節される障害物または固定部材における変形部の取り付け位置に自由度を持たせる、すなわち、変形部の取り付け位置の調整機構を設けるなどして変形が始まる初期位置や、変形量を調節可能にする構成を採用してもよい。これにより、環境条件が遊技台に与える自動調節の態様を、たとえば遊技台が設置される遊技場などのユーザの意向に応じて調整することができる。
【０１９０】
変形部は、全体形状など比較的大きな部分が変形するものであってもよいが、実施例１０などに示したように、変形部は環境条件に応じて起毛部などの微細部分が変形するような構成であってもよく、これにより、変形部のころがり摩擦係数、すべり摩擦係数が増減し、このような変形部が遊技球の転動に与える影響を介して遊技台の挙動、特に入賞率を増減を自動調整することができる。
【０１９１】
なお、遊技台を自動調節するためのパラメータとしての環境条件としては上述の湿度や温度などの条件の他に、遊技台近傍や内部の、通風量、照明の照度（輝度）など、あらゆる環境条件が考えられ、たとえば出玉率などとの被制御事象との関係を適宜設定できるものであれば、あらゆる環境条件を遊技台の自動調節に用いることができる。
＜作用効果＞
上記の各実施例において例示した本発明の構成によって得られる効果を要約すれば以下の通りである。
【０１９２】
各実施例に示した通り、環境条件に応じて遊技球の落下の方向を変化させる障害物の特性を変化させる構成であり、周辺環境に応じて遊技台の特性を自動調節する、たとえば、周辺環境と入賞率を自動的に対応させることができることがある。これにより、環境変化に伴う客数に見合った入賞率調整を、ホール従業員や、遊技台のサービスマンなどの手を一切わずらわす必要なしに、自動的に行うことができることがある。
【０１９３】
また、釘調整やボタン操作など人為的な操作で出玉率を調節していた従来の遊技機とは異なり、環境変化に連動して、すなわち人為的ではない要素での出玉率変化により、従来にない遊技攻略要素を備えることで遊技の興趣を大幅に向上させることができることがある。これにより複数のパチンコ機の出玉率をある程度均一化させて、複数の遊技客に対して公平感を与えることができたり、特定のパチンコ機の出玉率を上昇させて、遊技客に対してたくさんの特典が与えられる可能性をアピールできる可能性がある。
【図面の簡単な説明】
【０１９４】
【図１】本発明に係わる遊技台として、パチンコ機を扉部材を開いた状態で示した斜視図である。
【図２】図１のパチンコ機の遊技盤廻りの構成を示した正面図である。
【図３（ａ）】本発明に係わる遊技台の自動調整機構の断面図である。
【図３（ｂ）】図３（ａ）の自動調整機構の斜視図である。
【図４（ａ）】図３（ａ）の自動調整機構の異なる状態を示した断面図である。
【図４（ｂ）】図３（ｂ）の自動調整機構の異なる状態を示した斜視図である。
【図５（ａ）】本発明に係わる遊技台の自動調整機構の断面図である。
【図５（ｂ）】図５（ａ）の自動調整機構の斜視図である。
【図６（ａ）】図５（ａ）の自動調整機構の異なる状態を示した断面図である。
【図６（ｂ）】図５（ｂ）の自動調整機構の異なる状態を示した斜視図である。
【図７（ａ）】本発明に係わる遊技台の自動調整機構の断面図である。
【図７（ｂ）】図７（ａ）の自動調整機構の斜視図である。
【図８（ａ）】図７（ａ）の自動調整機構の異なる状態を示した断面図である。
【図８（ｂ）】図７（ｂ）の自動調整機構の異なる状態を示した斜視図である。
【図９（ａ）】本発明に係わる遊技台の自動調整機構の断面図である。
【図９（ｂ）】図９（ａ）の自動調整機構の斜視図である。
【図１０（ａ）】図９（ａ）の自動調整機構の異なる状態を示した断面図である。
【図１０（ｂ）】図９（ｂ）の自動調整機構の異なる状態を示した斜視図である。
【図１１（ａ）】本発明に係わる遊技台の自動調整機構の断面図である。
【図１１（ｂ）】図１１（ａ）の自動調整機構の斜視図である。
【図１２（ａ）】図１１（ａ）の自動調整機構の異なる状態を示した断面図である。
【図１２（ｂ）】図１１（ｂ）の自動調整機構の異なる状態を示した斜視図である。
【図１３（ａ）】本発明に係わる遊技台の自動調整機構の背面図である。
【図１３（ｂ）】図１３（ａ）の自動調整機構の背面斜視図である。
【図１３（ｃ）】図１３（ａ）の自動調整機構の断面図である。
【図１３（ｄ）】図１３（ａ）の自動調整機構の斜視図である。
【図１４（ａ）】本発明に係わる遊技台の自動調整機構の背面図である。
【図１４（ｂ）】図１３（ｂ）の自動調整機構の異なる状態を示した背面斜視図である。
【図１４（ｃ）】図１３（ｃ）の自動調整機構の異なる状態を示した断面図である。
【図１４（ｄ）】図１３（ｄ）の自動調整機構の異なる状態を示した斜視図である。
【図１５（ａ）】本発明に係わる遊技台の自動調整機構の斜視図である。
【図１５（ｂ）】図１５（ａ）の自動調整機構の異なる状態を示した斜視図である。
【図１６（ａ）】本発明に係わる遊技台の自動調整機構の斜視図である。
【図１６（ｂ）】図１６（ａ）の自動調整機構の断面図である。
【図１６（ｃ）】図１６（ａ）の自動調整機構の異なる状態を示した斜視図である。
【図１６（ｄ）】図１６（ｂ）の自動調整機構の異なる状態を示した断面図である。
【図１７】本発明に係わる遊技台の自動調整機構の斜視図である。
【図１８】図１７の自動調整機構の異なる状態を示した断面図である。
【図１９】本発明に係わる遊技台の自動調整機構の斜視図である。
【図２０】図１９の自動調整機構の異なる状態を示した断面図である。
【図２１（ａ）】本発明に係わる自動調整機構の斜視図である。
【図２１（ｂ）】図２１（ａ）の自動調整機構の正面図である。
【図２２（ａ）】図２１（ａ）の自動調整機構の異なる状態を示した斜視図である。
【図２２（ｂ）】図２１（ｂ）の自動調整機構の異なる状態を示した正面図である。
【図２３】本発明に係わる自動調整機構の斜視図である。
【図２４】図２４の自動調整機構の異なる状態を示した正面図である。
【図２５（ａ）】本発明に係わる自動調整機構の正面図である。
【図２５（ｂ）】図２５（ａ）の自動調整機構の前方斜視図である。
【図２６（ａ）】図２５（ａ）の自動調整機構の後方斜視図である。
【図２６（ｂ）】図２５（ａ）の自動調整機構の背面図である。
【図２７（ａ）】図２５（ａ）の自動調整機構の異なる状態を示した正面図である。
【図２７（ｂ）】図２６（ｂ）の自動調整機構の異なる状態を示した背面図である。
【図２８（ａ）】図２５（ａ）の自動調整機構の異なる状態を示した正面図である。
【図２８（ｂ）】図２６（ｂ）の自動調整機構の異なる状態を示した背面図である。
【図２９（ａ）】本発明に係わる遊技台の自動調整機構の断面図である。
【図２９（ｂ）】図２９（ａ）の自動調整機構の斜視図である。
【図３０（ａ）】図２９（ａ）の自動調整機構の異なる状態を示した断面図である。
【図３０（ｂ）】図２９（ｂ）の自動調整機構の異なる状態を示した斜視図である。
【図３１（ａ）】本発明に係わる遊技台の自動調整機構の断面図である。
【図３１（ｂ）】図３１（ａ）の自動調整機構の斜視図である。
【図３２（ａ）】図３１（ａ）の自動調整機構の異なる状態を示した断面図である。
【図３２（ｂ）】図３１（ｂ）の自動調整機構の異なる状態を示した斜視図である。
【符号の説明】
【０１９５】
１００  パチンコ機
１０２  遊技盤
１０４  遊技領域
１０６  外レール
１０７  ステップＳ
１０８  内レール
１１０  装飾図柄表示装置
１１２  普通図柄表示装置
１１４  特別図柄表示装置
１１６  普通図柄保留ランプ
１１８  特別図柄保留ランプ
１２０  高確中ランプ
１２２  一般入賞口
１２４  普図始動口
１２６  第１特図始動口
１２８  第２特図始動口
１３０  可変入賞口
１３６  アウト口
１３８  発射杆
１４０  発射槌
１４２  発射レール
１４４  貯留皿
３０１  変形部
３０２、３０２  釘
３０３  弾性部材
４０１  剛性体
４０３  変形部
５０１  遊技球誘導部材
５０２  変形部
６０１  扉部材
６０２  変形部
６０３  入賞口
７０１  変形部
７０２、７０２  ブロック
８００  基板
８０１  遊技球誘導部材
８０２  ソレノイド部
８０３  ブロック
８０４  リターンスプリング
８０５  連動部材
【図１】
0005176135.tif 000002
【図２】
0005176135.tif 000003
【図３（ａ）】
0005176135.tif 000004
【図３（ｂ）】
0005176135.tif 000005
【図４（ａ）】
0005176135.tif 000006
【図４（ｂ）】
0005176135.tif 000007
【図５（ａ）】
0005176135.tif 000008
【図５（ｂ）】
0005176135.tif 000009
【図６（ａ）】
0005176135.tif 000010
【図６（ｂ）】
0005176135.tif 000011
【図７（ａ）】
0005176135.tif 000012
【図７（ｂ）】
0005176135.tif 000013
【図８（ａ）】
0005176135.tif 000014
【図８（ｂ）】
0005176135.tif 000015
【図９（ａ）】
0005176135.tif 000016
【図９（ｂ）】
0005176135.tif 000017
【図１０（ａ）】
0005176135.tif 000018
【図１０（ｂ）】
0005176135.tif 000019
【図１１（ａ）】
0005176135.tif 000020
【図１１（ｂ）】
0005176135.tif 000021
【図１２（ａ）】
0005176135.tif 000022
【図１２（ｂ）】
0005176135.tif 000023
【図１３（ａ）】
0005176135.tif 000024
【図１３（ｂ）】
0005176135.tif 000025
【図１３（ｃ）】
0005176135.tif 000026
【図１３（ｄ）】
0005176135.tif 000027
【図１４（ａ）】
0005176135.tif 000028
【図１４（ｂ）】
0005176135.tif 000029
【図１４（ｃ）】
0005176135.tif 000030
【図１４（ｄ）】
0005176135.tif 000031
【図１５（ａ）】
0005176135.tif 000032
【図１５（ｂ）】
0005176135.tif 000033
【図１６（ａ）】
0005176135.tif 000034
【図１６（ｂ）】
0005176135.tif 000035
【図１６（ｃ）】
0005176135.tif 000036
【図１６（ｄ）】
0005176135.tif 000037
【図１７】
0005176135.tif 000038
【図１８】
0005176135.tif 000039
【図１９】
0005176135.tif 000040
【図２０】
0005176135.tif 000041
【図２１（ａ）】
0005176135.tif 000042
【図２１（ｂ）】
0005176135.tif 000043
【図２２（ａ）】
0005176135.tif 000044
【図２２（ｂ）】
0005176135.tif 000045
【図２３】
0005176135.tif 000046
【図２４】
0005176135.tif 000047
【図２５（ａ）】
0005176135.tif 000048
【図２５（ｂ）】
0005176135.tif 000049
【図２６（ａ）】
0005176135.tif 000050
【図２６（ｂ）】
0005176135.tif 000051
【図２７（ａ）】
0005176135.tif 000052
【図２７（ｂ）】
0005176135.tif 000053
【図２８（ａ）】
0005176135.tif 000054
【図２８（ｂ）】
0005176135.tif 000055
【図２９（ａ）】
0005176135.tif 000056
【図２９（ｂ）】
0005176135.tif 000057
【図３０（ａ）】
0005176135.tif 000058
【図３０（ｂ）】
0005176135.tif 000059
【図３１（ａ）】
0005176135.tif 000060
【図３１（ｂ）】
0005176135.tif 000061
【図３２（ａ）】
0005176135.tif 000062
【図３２（ｂ）】
0005176135.tif 000063